【事件の表示】
　特許第２９２５７６６号「無線電話装置及び電話装置」の請求項1、4〜8に係る特許に対する特許異議の申立てについて、次のとおり決定する。
【結　論】
　訂正を認める。
　特許第２９２５７６６号の請求項3〜７に係る特許を維持する。
【理　由】
Ｉ．手続きの経緯
　本件特許第２９２５７６６号は、平成３年３月１９日に出願された特願平３−５４４５８号の出願に係り、平成１１年５月７日に設定登録がなされた後、特許異議の申立てがあり、それに基づく特許取消の理由通知に対し、平成１２年８月４日付けで訂正請求がされたものである。
ＩＩ．本件訂正請求
（１）訂正事項
　本件訂正請求は、本件明細書を訂正請求書に添付された訂正明細書のとおりに訂正するものである。
　即ち
イ．特許請求の範囲の請求項１の削除。及び、これに伴って、訂正前の特許請求の範囲の請求項２を請求項１に、訂正前の特許請求の範囲の請求項３を請求項２に訂正。
ロ．訂正前の特許請求の範囲の請求項４から請求項８は、それぞれ請求項３から請求項７とし、訂正前の特許請求の範囲の請求項２及び請求項３に相当する訂正後の請求項１と請求項２に従属させる記載に訂正。
ハ．段落番号【００１１】を、「【００１１】【課題を解決するための手段】本発明は上記した課題を解決するために、回動操作が可能な回動操作手段を設け、該回動操作手段を操作することに応答して該利用者情報を選択すると共に、この選択に伴う発音を行い、その後、前記回動操作手段の押下操作に応じて発信の制御を行う様にしたものである。」に、及び、段落番号【００２９】を、「【００２９】【発明の効果】本発明は上記した課題を解決するために、回動操作が可能な回動操作手段を設け、該回動操作手段を操作することに応答して該利用者情報を選択すると共に、この選択に伴う発音を行い、その後、前記回動操作手段の押下操作に応じて発信制御を行うものであり、操作者は、キーとは異なる操作手段を使うために、利者情報を選択する際にキーの中から目的のキーを探さなくともよくなり、また、音によって利用者情報の選択が可能となる。これにより、自動車の運転中にも操乍が容易となり、脇見運転を行いにくくなる。また、暗いところでも、利用者情を確認できる様になる。」に訂正。
（２）訂正可否の判断
　上記（イ）の訂正は、訂正前の特許請求の範囲請求項１の削除、及び、それに伴う同請求項２，３についての項番号整理にすぎないから、訂正前の明細書に記載した事項の範囲内での特許請求の範囲の減縮である。
　上記（ロ）の訂正は、それらの記載から明らかなように、訂正前の請求項１〜３のいずれかに記載された全ての特徴を含む形式で記載されていた訂正前の特許請求の範囲の請求項４から請求項７を、訂正前の請求項１に対応するものを削除し、項番号整理をしたものにすぎないから、訂正前の明細書に記載した事項の範囲内での特許請求の範囲の減縮である。
　上記（ハ）の訂正は、訂正された特許請求の範囲の記載に対応すべく、課題を解決するための手段、及び、その発明の効果をより適切な記述とした訂正であって、不明瞭な記載の釈明に相当し、しかも、願書に添付した明細書又は図面に記載した事項の範囲内である。
　そして、これらの訂正が、実質上特許請求の範囲を拡張し、変更するものでないことは明らかである。
　以上のとおりであるから、上記訂正は、特許法等の一部を改正する法律（平成六年法律第百十六号。以下「平成六年改正法」という。）附則第６条第１項の規定によりなお従前の例によるとされる、特許法第１２０条の４第３項において準用する平成六年改正法による改正前の特許法第１２６条第１項ただし書、第２項及び第３項の規定に適合するので、当該訂正を認める。
ＩＩＩ．本件発明
　本件特許第２９２５７６６号に係る発明は、訂正された明細書の記載からみて、その特許請求の範囲請求項１〜７に記載された事項により構成される次のとおりのものである。
「【請求項１】
　　無線通信を行う通信手段と、
　回動操作及び押下操作が可能な回動操作手段と、
　電話番号情報及び利用者情報を入力するための入力手段と、
　前記入力手段によって入力された電話番号情報と利用者情報とを関連して記憶し、
前記回動操作手段を回動操作することに応答して該利用者情報を選択すると共に、
この選択に伴う発音を行う制御を行い、その後、前記回動操作手段の押下操作に応じて発信の制御を行う制御手段とを設けたことを特徴とする無線電話装置。
　　【請求項２】
　電話回線との通信を行う通信部と、
　回動操作及び押下操作が可能な回動操作手段と、
　電話番号情報及び利用者情報を入力するためのキーと、
　前記キーによって入力された電話番号情報と利用者情報とを関連して記憶し、
前記回動操作手段を操作することに応答して該利用者情報を選択すると共に、
この選択に伴う発音を行う制御を行い、その後、前記回動操作手段の押下操作に応じて発信の制御を行う制御手段とを設けたことを特徴とする電話装置。
　　【請求項３】
　前記回動操作手段による利用者情報の選択に伴う発音は断続音であることを特徴とする請求項１または請求項２のいずれかに記載の無線電話装置又は電話装置。
　　【請求項４】
　前記回動操作手段による利用者情報の選択に伴う発音は音声であることを特徴とする請求項１または請求項２のいずれかに記載の無線電話装置又は電話装置。
　　【請求項５】
　前記回動操作手段による利用者情報の選択に伴う音声は音声合成手段によって得られるものであることを特徴とする請求項４に記載の無線電話装置又は電話装置。
　　【請求項６】
　前記回動操作手段による利用者情報の選択に伴う発音は、選択した利用者情報によって変化することを特徴とする請求項１から請求項５のいずれかに記載の無線電話装置又は電話装置。
　　【請求項７】
　前記回動操作手段による利用者情報の選択に伴う音声は、選択した利用者情報の相手先名を出力することを特徴とする請求項５または請求項６のいずれかに記載の無線電話装置又は電話装置。」
ＩＶ．特許異議申立人の主張の概要
　特許異議申立人は、下記甲第１号証及び甲第２号証を提示し、訂正前の本件請求項１、４〜８に係る発明はこれら刊行物に記載された発明に基づいて当業者が容易に発明し得たものであるから、本件は、特許法第２９条第２項の規定に違反して特許されたものであり、その特許は取り消されるべきである旨、主張している。
　　　　　　　　　　　　記
甲第１号証：実願昭６０−１３１９０６号（実開昭６２−３９３６２号）のマイクロフィルム
甲第２号証：特開昭６３−８０６５２号公報
Ｖ．刊行物記載の発明
  上記甲第１号証には、特許異議申立人の提出した特許異議申立書第６頁第２２行〜第７頁第８行「第１４頁第１４行・・・であります」記載の発明が記載されている。また、上記甲第２号証には、特許異議申立人シャープ株式会社の提出した特許異議申立書第７頁第１０〜末行「第２頁左下欄・・・記載されています」記載の発明が記載されている。
　ＶＩ．対比・判断
　訂正前の請求項２、３に係る発明は、特許異議申立ての対象となっていないから、記載内容が同一である訂正後の請求項１，２に係る発明は、特許異議申立ての対象とならない。
　一方、訂正後の本件請求項３〜７記載のいずれの発明も、訂正後の本件請求項１、２のいずれかに記載された発明の全ての特徴を含む構成となっており、前記請求項１、２記載の発明に共通に含まれている、「回動操作手段の押下操作に応じて発信の制御を行う」ための「押下操作が可能な回動操作手段」を、その構成としているが、この「押下操作が可能な回動操作手段」は、上記各甲号証のいずれにも記載されておらず、しかも、周知とも認められず、また、この構成により、発明の効果に記載された格別な効果を奏しているから、訂正後の本件請求項３〜７に係るいずれの発明も、上記各甲号証記載の発明に基づいて当業者が容易に発明をすることができたものとすることはできない。
ＶＩＩ．むすび
　以上のとおりであるから、特許異議申立人の提示する証拠によっては、本件請求項３〜７に係る特許を取り消すことはできない。また、他に前記特許を取り消すべき理由を発見しない。
よって、結論のとおり決定する。
【異議決定日】
平成１２年９月５日（２０００．９．５）
【訂正の要旨】
　訂正の要旨
・訂正事項（ａ）
　特許第２９２５７６６号発明の明細書中の特許請求の範囲の減縮を目的として、特許請求の範囲の請求項１を削除する。
　また、これに伴い、訂正前の特許請求の範囲の請求項２を請求項１に、訂正前の特許請求の範囲の請求項３を請求項２に訂正する。
これに加え、訂正前の特許請求の範囲の請求項４から請求項８は、それぞれ請求項３から請求項７とし、訂正前の特許請求の範囲の請求項２及び請求項３に相当する訂正後の請求項１と請求項２に従属させる記載とする。
　この訂正事項（ａ）に伴い、特許請求の範囲の記載と発明の詳細な説明の記載との整合性を図るため、明瞭でない記載の釈明として、段落番号【００１１】、【００２９】を、以下に示す訂正事項（ｂ）及び（ｃ）のように訂正する。
・訂正事項（ｂ）
　【００１１】
　　【課題を解決するための手段】
　本発明は上記した課題を解決するために、回動操作が可能な回動操作手段を設け、該回動操作手段を操作することに応答して該利用者情報を選択すると共に、この選択に伴う発音を行
い、その後、前記回動操作手段の押下操作に応じて発信の制御を行う
・訂正事項（ｃ）
　【００２９】
　　【発明の効果】
　本発明は上記した課題を解決するために、回動操作が可能な回動操作手段を設け、該回動操作手段を操作することに応答して該利用者情報を選択すると共に、この選択に伴う発音を
行い、その後、前記回動操作手段の押下操作に応じて発信の制御を行う
（５４）【発明の名称】
無線電話装置及び電話装置
（５７）【特許請求の範囲】
　【請求項
１
回動操作及び押下操作が可能な回動操作手段と、
電話番号情報及び利用者情報を入力するための入力手段と、
前記入力手段によって入力された電話番号情報と利用者情報とを関連して記憶し、前記回動操作手段を回動操作することに応答して該利用者情報を選択すると共に、この選択に伴う発音を行う制御を行い、その後、前記回動操作手段の押下操作に応じて発信の制御を行う制御手段とを設けたことを特徴とする無線電話装置。
　【請求項
２
回動操作及び押下操作が可能な回動操作手段と、
電話番号情報及び利用者情報を入力するためのキーと、
前記キーによって入力された電話番号情報と利用者情報とを関連して記憶し、前記回動操作手段を操作することに応答して該利用者情報を選択すると共に、この選択に伴う発音を行う制御を行い、その後、前記回動操作手段の押下操作に応じて発信の制御を行う制御手段とを設けたことを特徴とする電話装置。
　【請求項
３
または
２
　【請求項
４
または
２
　【請求項
５
４
　【請求項
６
５
　【請求項
７
５
６
【発明の詳細な説明】
　【０００１】
　【発明の属する技術分野】
　本発明は、短縮番号などの利用者情報をもとに発信を行うことができる無線電話装置及び電話装置に関するものである。
　【０００２】
　【従来の技術】
　近年、電話装置には短縮利用者情報などの相手先情報を記憶しておき、この相手先情報を基に自動発呼を行うものが登場してきた。また、近年、無線を経由して電話回線との接続を行うことで、利用者が移動中や外出中でも電話を利用することができる無線電話装置が広く利用されるようになった。以下、図５、図６を基に、従来の技術について説明する。図５は電話装置の一種である自動車電話装置の従来の外観斜視図、図６は、同装置のハンドセットの背面図である。ただし、図６では送受信部を備えた電話装置本体やアンテナ部などは省略している。
　【０００３】
　図において、１はハンドセットであって、このハンドセット１の背面には通話相手の電話番号等を入力するダイヤルキーボード２と、ダイヤルキーボード２より入力された電話番号など各種情報を表示する表示部３が備えられている。なお、ダイヤルキーボード２のキー２Ａの背面にはダイヤル数字、機能内容を示した文字、記号などが印刷されており、このキー２Ａを押すことにより各々の文字や記号が表示部に表示される。
　【０００４】
　また、ハンドセット１の下面側には図示しないが通話時における音声入力部である送話器と、音声出力部である受話器を有している。ハンドセット１の一端部にはカールコード４が接続され、このカールコード４は、図示しないが自動車の座席などの下に設置された無線送受信部や制御部を有する電話装置本体と電気的に接続されている。
　【０００５】
　ハンドセット１は、運転席と補助席との間の固定板に取り付けられたハンドセットを受ける受け台（以下、クルドール５と称す）に載置されている。クレドール５の中央部にはマグネット６が設けられ、このマグネット６によってハンドセット１が自動車の振動や衝撃によつて脱落せず、しかも着脱が容易なように磁気的に仮固定される。また、クレドール４の上部両側面には、サイドリブ７…が各々形成されハンドセット１の脱落を防止する。
　【０００６】
　以上のように構成された自動車電話について、以下にその動作を説明する。自動車電話機の一般的な操作として、ダイヤルキーボード２のキー操作の簡便化のため、頻繁に用いる電話番号には予め短縮番号を付して記憶しておいて、必要に応じて短縮番号を呼び出して発信する場合が多い。
　【０００７】
　図１０は、電話番号を短縮番号にて記憶入力および呼び出しのためのダイヤルキーボード２のキー操作手順を示すフローチャートである。即ち、電話番号の記憶入力時は、ステップ１からステップ４を、記憶された短縮番号の呼び出しは、ステップ５からステップ８の手順にてダイヤルキーボード２のキー２Ａをおして行う。
　【０００８】
　運転中に短縮番号にて発信を行う場合は図７のステップ５，６，７の如く、キー２Ａ中の短縮番号呼び出し用ボタンを押し、短縮番号をキー２Ａ中の数字によって選択して、発信用ボタンにて発信する。さらに、ステップ８においてハンドセット１を取り上げ通話することができる。終話動作は、ハンドセット１をクレドール５に置くか、または、キー２Ａ中の終話用のボタンを押す。
　【０００９】
　近年無線電話装置の機能は複雑になってきており、その機能ごとにキーを増やしていたのでは、キーの数が増大する一方であり、目的とする機能のキーを探す等の手間が増え、操作性が悪くなる。そもそも無線を利用した電話装置の場合、その大きさには限界があり、設置できるキーの数には限界があり、複数のキー操作の組み合わせにより数々のキー操作を行うようにしている。
　【００１０】
　【発明が解決しようとする課題】
　しかしながら、上記したように電話装置は、その構成上、複数のキーを操作しなければならないために、各キーにそれぞれ表示を行うわけにはいかない。加えて、操作自体は複雑になってしまうので、よく使われる機能の１つである短縮電話番号などの相手先情報を利用した発信に関する操作も複雑となり、操作性が悪くなり、発信する度に電話番号の各桁の数字を押さずに済ませることによって、その操作を容易にするという相手先情報を利用した発信に関する操作の利点が失われてしまうことになる。また、複雑な操作方法になるほど、操作者がその操作手順を覚えなければならなくなり、利用者によっては操作すらできないという事態になってしまう。更に、当然ながら移動中にもこの複雑な操作を行なって、相手先情報による発呼を行わなければならなくなるために、例えば運転中に操作を行う場合など、その無線電話装置を操作するがために注意力が無くなる。加えてキーを目で見て確認を行ないながら入力を行っていく必要が有り、脇見運転の原因となり、安全運転上問題があった。本発明は上記課題に鑑み、目的の相手先情報を容易に、かつ素早く選択できるようにして操作性を向上させることができる電話装置を提供することを目的とする。
　【００１１】
　【課題を解決するための手段】
　本発明は上記した課題を解決するために、回動操作が可能な回動操作手段を設け、該回動操作手段を操作することに応答して該利用者情報を選択すると共に、この選択に伴う発音を行
い、その後、前記回動操作手段の押下操作に応じて発信の制御を行う
　【００１２】
　【００１３】
　【００１４】
　【作用】
　本発明は上記した構成により、操作者は、キーとは異なる操作手段を使うために、利用者情報を選択する際にキーの中から目的のキーを探さなくともよくなり、また、音によって利用者情報の選択が可能となる。
　【００１５】
　また、回転式の短縮番号ツマミを任意に回転させた後、前記短縮番号ツマミの上部中央の発信ボタンを押すことによって電話をかけることができる。
　【００１６】
　【実施例】
　以下、本発明の自動車電話機の一実施例を図面を参照しながら説明する。図１は、本発明の第１実施例の自動車電話機の斜視図、図２は、ハンドセットの背面図である。
　【００１７】
　この第１実施例は、ハンドセット１、ダイヤルキーボード２、表示部３、カールコード４、クレドール５などは上記従来例と同じでもので、ハンドセット１が、運転席と補助席との問に取り付けられたクレドール５に載置され、ハンドセット１のカールコード４は、自動車の座席などの下に設置された電話装置本体と電気的に結合している。
　【００１８】
　ハンドセット１の背面のダイヤルキーボード２の近傍に凹部８が形成され、この凹部８に短縮番号ツマミ９が設けられている。短縮番号ツマミ９は、回転式のツマミ部９Ａと、このツマミ部９Ａの上部中央に設けられた押しボタン式の発信ボタン９Ｂとから構成されている。ツマミ部９Ａは、登録した電話の短縮番号を検索するためのツマミであって、ハンドセット１の凹部８に回動自在に設けられている。また、発信ボタン９Ｂは、ツマミ部９Ａによって選択した短縮番号を発信するためのボタンであって、このツマミ部９Ａを押すことによって作動する。
　【００１９】
　なお、凹部８は、ハンドセット１を持ち上げたときに不用意に短縮番号ツマミ９に手が接触しないように形成されたものである。次に、本発明の自動車電話機の使用状態を説明する。
　【００２０】
　自動車を停止して短縮番号により発信する場合は、ダイヤルキーボード２のキー２Ａを用いて操作するが、自動車を運転中はキー２Ａを操作しにくいため、その代わりに回転式の短縮番号ツマミ９を使用する。
　【００２１】
　図３は、第１実施例におけるキー操作のために、事前に電話番号を短縮番号に記憶させるためのキー操作手順および短縮番号による発信手順を示したフローチャートである。このフローチャートは基本的に図１０の従来のフローチャートと類似しているが、記憶呼出手順において、短縮番号ツマミの回転に応じて短縮番号に対応した音をハンドセット１から発生するものである。
　【００２２】
　例えば、
短縮番号１…「ピッ」断続音１回
短縮番号２…「ピッ」断続音１回（累計２回）
短縮番号３…「ピッ」断続音１回（累計３回）
：　　　　　　：　
短縮番号ｎ…「ピッ」断続音１回（累計ｎ回）
の如く「ピッ」の断続音の数によって呼出した短縮番号の順番を確認することができるものである。また、「ピッ」の断続音のかわりに音声合成装置により相手先名を発しても同様の確認が可能である。
　【００２３】
　従って、自動車の運転中にあっても、短縮番号ツマミ９を指でつまんで回転させ、回転に応じて内部で短縮番号が呼び出されるとともに、「ピッ」音を鳴動させることで可能となる。
　【００２４】
　所望の短縮番号を「ピッ」の音の数で検知し発信ボタン９Ｂを押すことにより、相手に発呼させることができ、さらに、いったん終話状態になると短縮番号サーチダイヤルは０番（一般的には最後に発信した電話番号）にリセットされる。したがって、常に一定方向に回転させるだけで所望の短縮番号を容易に探し出すことができる。
　【００２５】
　図４は第２実施例の要部斜視図をしめしている。この第２実施例の短縮番号ツマミ９のツマミ部９Ａは複数段（図中では２段）形成されている。このようにツマミ部９Ａを複数段形成することにより、電話番号を多数記憶する場合に対応させることができる。
　【００２６】
　図５は第３実施例の要部斜視図をしめしている。この第３実施例では回転式の短縮番号ツマミ９の代わりに短縮番号レバー１０を取り付けたもので、同様に操作性を向上させたものである。この第３実施例のレバー部１０Ａの上部に押しボタン式の発信ボタン１０Ｂが設けられている。
　【００２７】
　図６は、本発明の第４実施例の要部斜視図をしめしている。この第４実施例の短縮番号ツマミ９０１はハンドセット１とは独立にして、この短縮番号ツマミ９０１単体を運転者の近傍の自動車内に取り付けるように構成し、さらに操作性の良い位置への取り付けを可能にしている。
　【００２８】
　図７は、本発明の第５実施例の要部斜視図を示したもので、上記の第４実施例と同様、この第５実施例は、短縮番号レバー１０１をハンドセット１とは独立にして、運転席の近傍の自動車内に取り付けるように構成し、操作性の向上を図っている。
　【００２９】
　　【発明の効果】
　本発明は上記した課題を解決するために、回動操作が可能な回動操作手段を設け、該回動操作手段を操作することに応答して該利用者情報を選択すると共に、この選択に伴う発音を
行い、その後、前記回動操作手段の押下操作に応じて発信の制御を行う
【図面の簡単な説明】
　【図１】
　本発明の第１実施例の自動車電話機の外観斜視図
　【図２】
　図１における自動車電話機のハンドセットの背面図
　【図３】
　本発明の自動車電話の短縮番号の記憶入力および呼出して発信するための手順を示すフローチャート
　【図４】
　第２実施例の自動車電話機の要部斜視図
　【図５】
　第３実施例の自動車電話機の要部斜視図
　【図６】
　第４実施例の自動車電話機の短縮番号ツマミの斜視図
　【図７】
　第５実施例の自動車電話機の短縮番号レバーの斜視図
　【図８】
　従来の自動車電話機の外観斜視図
　【図９】
　図８における自動車電話機のハンドセットの背面図
　【図１０】
　従来例の自動車電話の短縮番号の記憶入力および呼出して発信するための手順を示すフローチャート
　【符号の説明】
　１　　　ハンドセット
　９　　　短縮番号ツマミ
　９Ａ　　ツマミ部
　９Ｂ　　発信ボタン
　１０　　短縮番号レバー
　１０Ａ　レバー部
　１０Ｂ　発信ボタン
　９０１　短縮番号ツマミ
　１０１　短縮番号レバー